(57)【要約】【課題】  電機電子機器を包装もしくは梱包する包装装置に関し、運搬者が運搬もしくは移動する際に持ち運びやすく、取手部分が破損することが少なく、運搬時の衝撃や粉塵等から電機電子機器等を保護する包装装置を提供する。【解決手段】  本発明の包装装置は、略直方体の外装紙器を備える包装装置であって、外装紙器の側面と底面とから構成される側底面稜線部と、２本１組の切り込み溝から規定される側底面稜線部の一部分を外装紙器の内側に折込んで構成する取手部とを備え、取手部が、側面と底面とが規定する側底面稜線から側面において第１の距離だけ離隔した第１稜線と、側底面稜線から底面において第１の距離よりも長い第２の距離だけ離隔した第２稜線と、第１稜線から第２稜線に至る２本１組の切り込み溝と、から規定される。【選択図】  図１
2006008216.tif 000002
【特許請求の範囲】
【請求項１】
略直方体の外装紙器を備える包装装置であって、
該外装紙器の側面と底面とから構成される側底面稜線部と、２本１組の切り込み溝から規定される該側底面稜線部の一部分を該外装紙器の内側に折込んで構成する取手部とを備え、
該取手部が、該側面と底面とが規定する側底面稜線から側面において第１の距離だけ離隔した第１稜線と、該側底面稜線から該底面において該第１の距離よりも長い第２の距離だけ離隔した第２稜線と、該第１稜線から該第２稜線に至る該２本１組の切り込み溝と、から規定される、包装装置。
【請求項２】
前記取手部が、前記側底面稜線部の一部分が内側に折込まれたときに前記側底面稜線に対応して構成される谷線と、前記第１稜線と該谷線との間に規定される第１取手面と、前記第２稜線と該谷線との間に規定される第２取手面とを備え、該谷線において該第１取手面と該第２取手面とが交差する角度が、ほぼ直角である、請求項１に記載の包装装置。
【請求項３】
前記外装紙器の底面が、重なり合う複数のフラップを備え、前記取手部が、前記側面と該底面の最も内側のフラップとが構成する側底面稜線部に構成されている、請求項１または２に記載の包装装置。
【請求項４】
前記取手部が、対向する複数の前記側底面稜線部のそれぞれに、複数設けられている、請求項１から３のいずれかに記載の包装装置。
【請求項５】
前記側底面稜線部の内側の対応する位置に緩衝部材を備え、該緩衝部材が、少なくとも前記取手部の該第１取手面に対応した平面を備える凹部を有する、請求項１から４のいずれかに記載の包装装置。
【発明の詳細な説明】
【技術分野】
【０００１】
本発明は、電機電子機器を包装もしくは梱包する包装装置に関し、特に、重量を伴う電機電子機器等を運搬する際に使用する略直方体の外装紙器を備える包装装置に関する。
【背景技術】
【０００２】
従来の電機電子機器等の包装装置においては、運搬時の衝撃や粉塵等から電機電子機器等を保護するという本来の目的に加え、運搬者がこれらを運搬もしくは移動する際に持ち運びやすくするために、略直方体の外装紙器に取手を設けるものがある。具体的には、外装紙器の側面に運搬者の掌を差し込む孔を設け、電機電子機器が大きく重量を伴う場合であっても、運搬者が包装装置を容易に取り扱えるように図るものがある。また、これらの包装装置では、電機電子機器は発泡スチロール等による緩衝部材を介して外装紙器に収容され、外装紙器の側面の取手孔を設ける位置は、電機電子機器の形態、重量等や、緩衝部材の位置により決定される。従来には、緩衝部材の一部に凹部を形成し、この凹部に対応する外装紙器の側面に取手孔を設け、緩衝部材の凹部を取手とするものがある。（特許文献１）。
【０００３】
【特許文献１】実開平３−９３４７６号公報  （第２図）
【０００４】
また、従来の包装装置では、外装紙器の接合部の稜線部を中心として隣り合う２面に対称形のコ字形の切込み継線からなる切り欠き部を設け、切り欠き部を双方とも内側に折込んで穴部を設け、把手部を設けるものがある（特許文献２）。
【０００５】
【特許文献２】実開昭５８−１２５１１５号公報  （第１図〜第３図）
【０００６】
しかしながら、従来技術の包装装置では、大型の増幅器等の重量を伴う電機電子機器の場合には、緩衝部材に設けた凹部を取手とする場合には、外装紙器や緩衝部材の一部に応力が集中するので、取手部の強度が不足する場合がある。すなわち、例えば特許文献１の場合では、電機電子機器の上側のみを保持する緩衝部材１のみに応力が集中してしまい、取手部分が破損するなどの問題が生じる。緩衝部材が電機電子機器の上側および下側を一体に保持する形状であっても、重量を伴う電機電子機器の場合には同様の問題を生じる。
【発明の開示】
【発明が解決しようとする課題】
【０００７】
本発明は、上記の従来技術が有する問題を解決するためになされたものであり、その目的は、電機電子機器を包装もしくは梱包する包装装置に関し、特に、重量を伴う電機電子機器等を運搬する際に使用する略直方体の外装紙器を備える包装装置に関し、運搬者が運搬もしくは移動する際に持ち運びやすく、取手部分が破損することが少なく、運搬時の衝撃や粉塵等から電機電子機器等を保護するという本来の目的を満足する包装装置を提供することにある。
【課題を解決するための手段】
【０００８】
本発明の包装装置は、略直方体の外装紙器を備える包装装置であって、外装紙器の側面と底面とから構成される側底面稜線部と、２本１組の切り込み溝から規定される側底面稜線部の一部分を外装紙器の内側に折込んで構成する取手部とを備え、取手部が、側面と底面とが規定する側底面稜線から側面において第１の距離だけ離隔した第１稜線と、側底面稜線から底面において第１の距離よりも長い第２の距離だけ離隔した第２稜線と、第１稜線から第２稜線に至る２本１組の切り込み溝と、から規定される。
【０００９】
好ましくは、本発明の包装装置は、取手部が、側底面稜線部の一部分が内側に折込まれたときに側底面稜線に対応して構成される谷線と、第１稜線と谷線との間に規定される第１取手面と、第２稜線と谷線との間に規定される第２取手面とを備え、谷線において第１取手面と第２取手面とが交差する角度が、ほぼ直角である。
【００１０】
好ましくは、本発明の包装装置は、外装紙器の底面が、重なり合う複数のフラップを備え、取手部が、側面と底面の最も内側のフラップとが構成する側底面稜線部に構成されている。
【００１１】
好ましくは、本発明の包装装置は、取手部が、対向する複数の側底面稜線部のそれぞれに、複数設けられている。
【００１２】
さらに好ましくは、本発明の包装装置は、側底面稜線部の内側の対応する位置に緩衝部材を備え、緩衝部材が、少なくとも取手部の第１取手面に対応した平面を備える凹部を有する。
【００１３】
以下、本発明の作用について説明する。
【００１４】
本発明の包装装置は、略直方体の外装紙器を備える包装装置であって、外装紙器の側面と底面とから構成される側底面稜線部と、２本１組の切り込み溝から規定される側底面稜線部の一部分を外装紙器の内側に折込んで構成する取手部とを備える。この取手部は、側面と底面とが規定する側底面稜線から側面において第１の距離だけ離隔した第１稜線と、側底面稜線から底面において第１の距離よりも長い第２の距離だけ離隔した第２稜線と、第１稜線から第２稜線に至る２本１組の切り込み溝と、から規定される。つまり、取手部は、側底面稜線を中心として隣り合う側面および底面に非対称形に形成され、側面における第１稜線への第１の距離よりも底面における第２稜線への第２の距離の方が長い。好ましくは、取手部は、対向する複数の側底面稜線部のそれぞれに複数設けられる。
【００１５】
したがって、本発明の包装装置における取手部は、第１稜線から第２稜線に至る２本１組の切り込み溝を側底面稜線部に設け、この部分を外装紙器の内側に折込むだけなので、形成が容易であるという利点がある。また、取手部を略直方体の外装紙器の側底面稜線部、つまり、ほぼ底面に設けることができるので、重量を伴う電機電子機器等であっても取手部が全体の重量を支えることができる。また、取手部を対向する複数の側底面稜線部のそれぞれに複数設ける場合には、運搬者が運搬もしくは移動する際に両手で、あるいは複数の運搬者で、持ち運びやすくすることができる。
【００１６】
好ましくは、本発明の取手部は、側底面稜線部の一部分が内側に折込まれたときに側底面稜線に対応して構成される谷線と、第１稜線と谷線との間に規定される第１取手面と、第２稜線と谷線との間に規定される第２取手面とを備えている。内側に折込まれる前の側底面稜線が内側に折込まれたときの取手部の谷線に対応するので、谷線において第１取手面と第２取手面とが交差する角度もほぼ直角になる。このとき、外装紙器の側面と第１取手面が交差する角度は２７０度よりも大きくなる。すなわち、外装紙器の側面と第１取手面とは鋭角的に切り立った第１稜線を形成する。したがって、運搬者が、取手部に掌を差し込んで運搬もしくは移動する際に、第１取手面の鉛直方向に働く力により掌が滑り抜けにくくなるので、従来の包装装置よりも持ち運びやすくすることができる。
【００１７】
さらに、本発明の包装装置は、好ましくは、外装紙器の底面が、重なり合う複数のフラップを備え、取手部が、側面と底面の最も内側のフラップとが構成する側底面稜線部に構成されている。つまり、側面と底面の最も内側のフラップによって取手部を構成し、底面の他のフラップは、取手部の底面の側をカバーすることができる。したがって、運搬時の衝撃や粉塵等から電機電子機器等を保護するという本来の目的を満足しながら、運搬者が運搬もしくは移動する際に持ち運びやすい取手を設けることができる。
【００１８】
本発明の包装装置は、さらに好ましくは、側底面稜線部の内側の対応する位置に緩衝部材を備え、緩衝部材が、少なくとも取手部の第１取手面に対応した平面を備える凹部を有する。外装紙器の側底面稜線部、つまり、ほぼ底面に設けられる取手部は、全体の重量を支えることができ、運搬時には取手部の第１取手面が最も応力が係る部分であるので、対応する緩衝部材の平面が取手部の第１取手面を補強することができる。その結果、取手部分が破損することが少ない包装装置を実現できる。
【発明の効果】
【００１９】
本発明の包装装置は、重量を伴う電機電子機器等を運搬する際に使用する略直方体の外装紙器を備える包装装置に関し、運搬時の衝撃や粉塵等から電機電子機器等を保護するという本来の目的を満足しながら、運搬者が運搬もしくは移動する際に持ち運びやすく、取手部分が破損することが少ない包装装置を提供することができる。
【発明を実施するための最良の形態】
【００２０】
本発明の包装装置は、略直方体の外装紙器を備える包装装置であって、外装紙器の側面と底面とから構成される側底面稜線部と、２本１組の切り込み溝から規定される側底面稜線部の一部分を外装紙器の内側に折込んで構成する取手部とを備え、取手部を、側面と底面とが規定する側底面稜線から側面において第１の距離だけ離隔した第１稜線と、側底面稜線から底面において第１の距離よりも長い第２の距離だけ離隔した第２稜線と、第１稜線から第２稜線に至る２本１組の切り込み溝と、から規定することにより、実現した。
【００２１】
以下、本発明の好ましい実施形態による包装装置について説明するが、本発明はこれらの実施形態には限定されない。
【実施例１】
【００２２】
図１は、本発明の好ましい実施形態による包装装置１について説明する図である。包装装置１は、運搬時の衝撃や粉塵等から内容物である電機電子機器、例えば増幅器等の映像音響機器を保護するために、外装紙器２と、緩衝部材（図示しない）とを備える。例えば、外装紙器２はダンボール紙を略直方体に形成したカートンであり、緩衝部材はスチロール樹脂を発泡成型させたパッドである。外装紙器２は、側面２１と、底面２２と、側面２１および底面２２から構成される側底面稜線部とを備える。ここで、稜線部とは、略直方体の外装紙器２の隣り合う２つの平面が交差する部分であり、稜線は、交差する２つの平面が形成する直線の峰である。底面２２の一部は二重になっていて、重なり合う内フラップと外フラップとから構成される。なお、説明のために図１において、側面２１の一部を透明視して表示している。底面２２は、全面が複数のフラップから構成されていてもよく、また、複数のフラップから構成されていている場合に限られない。
【００２３】
本発明の外装紙器２の側底面稜線部には、取手部が構成される。つまり、運搬者の掌を差し込む取手部は、外装紙器２のほぼ底面に設けられる。取手部は外装紙器の側底面稜線部に少なくとも一つ設ければよいが、例えば図１の外装紙器２のように複数設けてもよい。ここで、取手部３ａおよび３ｂは、側面２１と底面２２の内フラップとが構成する側底面稜線部に、取手部４ａ、４ｂおよび５ａは、側面２１と底面２２の外フラップとが構成する側底面稜線部に構成されている。なかでも、取手部４ａおよび５ａは、運搬者が運搬もしくは移動する際に持ち運びやすくなるように、対向する複数の側底面稜線部のそれぞれに設けられている。
【００２４】
図２、図３および図４は、取手部３ａの構成を説明するＸ−Ｘ’断面図である。図２は、取手部３ａを構成する前の側底面稜線部の状態を示し、図３および図４は、取手部３ａを構成した後の状態を示す。つまり、取手部３ａは、外装紙器２の側面２１と底面２２の内フラップ２３とが構成する側底面稜線部の一部分を外装紙器２の内側に折込むことにより構成される。なお、図４は、運搬者が取手部３ａに掌７を差し込んで運搬もしくは移動する場合を示している。
【００２５】
具体的には、取手部３ａは、外装紙器２の側底面稜線部に２本１組の切り込み溝を設け、これらの切り込み溝の組から規定される側底面稜線部の一部分を、内側に折込むことにより構成される。したがって、２本１組の切り込み溝の間隔は、運搬者の掌を差し込むことができる取手部の大きさが確保できればよく、５０〜１５０ｍｍの間隔で、好ましくは８０〜１１０ｍｍの間隔であればよい。
【００２６】
側底面稜線部における２本１組の切り込み溝は、側底面稜線２０から側面２１において第１の距離Ａだけ離隔した位置と、側底面稜線２０から底面２２の内フラップ２３において第１の距離Ａよりも長い第２の距離Ｂだけ離隔した位置との間に渡って設けられる。したがって、側底面稜線部の一部分を内側に折込むことにより構成される取手部３ａは、第１の距離Ａだけ離隔した位置である第１稜線３１と、第２の距離Ｂだけ離隔した位置である第２稜線３２と、第１稜線３１から第２稜線３２に至る２本１組の切り込み溝と、から規定される。ここで、取手部３ａは、第１の距離Ａよりも第２の距離Ｂの方が長いので、側底面稜線２０を中心として隣り合う側面２１および底面２２に非対称形に形成される。
【００２７】
なお、これらの２本１組の切り込み溝は、外装紙器２を組み立てる以前に設けても、外装紙器２を組み立てた後に設けてもよい。また、本発明の取手部を規定する２本１組の切り込み溝は、本実施例の直線形状に限られない。側底面稜線２０を中心として隣り合う側面２１および底面２２を連続して切断する切込み溝であれば、曲線や直線の連続でもよく、側面２１における第１稜線３１への第１の距離Ａよりも底面２２における第２稜線３２への第２の距離Ｂの方が長ければよい。
【００２８】
側底面稜線２０は、ダンボールがほぼ直角にすでに折曲げられている箇所であるので、取手部３ａとして内側に折込まれた場合には、この側底面稜線２０が反対側に折曲げられて谷線３０を構成する。したがって、取手部３ａは、この谷線３０と、第１稜線３１と谷線３０との間に規定される第１取手面３３と、第２稜線と谷線３０との間に規定される第２取手面３４とを備え、この谷線３０から第１稜線３１への距離は第１の距離Ａにほぼ等しく、谷線３０から第２稜線３２への距離は第２の距離Ｂにほぼ等しい。内側に折込まれる前の側底面稜線２０が内側に折込まれた後の取手部３ａの谷線３０に対応するので、谷線３０において第１取手面３３と第２取手面３４とが交差する角度もほぼ直角になる。
【００２９】
その結果、本発明の包装装置１の取手部３ａにおいては、外装紙器２の側面２１と第１取手面３３とが交差する角度は、２７０度よりも大きくなる。すなわち、外装紙器の側面と第１取手面とは鋭角的に切り立った第１稜線を形成する。したがって、運搬者が取手部３ａに掌７を差し込んで運搬もしくは移動する際に、第１取手面３３の鉛直方向に働く力により掌７が滑り抜けにくくなるので、従来の包装装置よりも持ち運びやすくすることができる。
【００３０】
本発明の包装装置１の取手部３ａにおいては、第１の距離Ａは、好ましくは、２０ｍｍ〜５０ｍｍであればよく、さらに好ましくは、３０ｍｍ〜４０ｍｍであればよく、第２の距離Ｂは、第１の距離Ａよりも少しでも長ければよい。好ましくは、第２の距離Ｂは、第１の距離Ａの１．２倍〜４．０倍の範囲であればよく、さらに好ましくは、第１の距離Ａの１．3倍〜３．０倍の範囲であればよい。第１の距離Ａと第２の距離Ｂとの関係がこの範囲であれば、外装紙器２の側面２１と第１取手面３３が交差する角度が約２８０度〜約３３２度、好ましくは約２８０度〜約３２２度になるので、運搬者の掌７が滑り抜けにくくなり、充分な第１取手面３３の面積が確保できるからである。なお、第１の距離Ａの寸法は、上記の実施例に限られない。包装装置１の全体の大きさを考慮して、上記寸法よりも小さくしても、大きくしてもよい。
【００３１】
本実施例の取手部３ａは、外装紙器２の側面２１と底面２２の内フラップ２３とが構成する側底面稜線２０の一部分を外装紙器２の内側に折込むことにより構成され、底面２２には、さらに内フラップ２３に重なり合う外フラップ２４が備えられる。したがって、取手部３ａを設けても、外フラップ２４により運搬時の衝撃や粉塵等から電機電子機器等を保護することができる。また、運搬者の掌７が外フラップ２４により底面側に規制されるので、掌７を滑り抜けにくくすることができる利点がある。
【００３２】
また、本実施例では、包装装置１は、外装紙器２の内部に緩衝部材６を備える。好ましくは、緩衝部材６は、側底面稜線部の内側の対応する位置に配置され、少なくとも取手部３ａの第１取手面３３に対応した平面６３を備える凹部６５を有する。つまり、この緩衝部材６は、ほぼ底面で内容物である電機電子機器の全体を支えており、運搬時には、設けられた取手部３ａの第１取手面３３が最も応力が係る部分になる。したがって、取手部３ａの第１取手面３３と対応する平面６３を備える結果、取手部３ａの補強をすることができる。また、取手部３ａが破損することも少ない包装装置１を実現できる。
【００３３】
緩衝部材６は、代表的にはスチロール樹脂を発泡成型させたパッドであり、緩衝部材６の凹部６５も、発泡成型の工程で同時に構成すればよい。凹部６５は、少なくとも取手部３ａの第１取手面３３に対応した平面６３を備えればよいが、谷線３０に対応する稜線６０、第１稜線３１に対応する稜線６１、第２稜線３２に対応する稜線６２、第２取手面３４に対応した平面６４のいずれかを更に備えていてもよい。取手部３ａに対応した平面もしくは稜線を備える凹部６５によって、運搬時の応力が集中する取手部３ａの補強ができるからである。さらに、取手部３ａを設けることでできる外装紙器２の孔を、緩衝部材６の凹部６５が塞ぐようにできるので、運搬時の粉塵等の混入から電機電子機器等を保護することができる。
【００３４】
なお、本発明の包装装置１の外装紙器２は、上記の実施例に限られない。外装紙器２を構成する材料は、ダンボール以外であっても、ボール紙、樹脂シート等であってもよい。また、緩衝部材はスチロール樹脂を発泡成型させたパッド以外であってもよく、ダンボール等の紙材料を折曲げや組立等した緩衝部材であってもよい。
【産業上の利用可能性】
【００３５】
本発明の包装装置は、増幅器等の映像音響機器や電機電子機器等の包装装置に限られず、運搬時の衝撃や粉塵等から保護を要する物品であれば、適用が可能である。特に、背丈寸法は小さいものの、高密度で重量を伴う物品である場合に適する。
【図面の簡単な説明】
【００３６】
【図１】本発明の好ましい実施形態による包装装置について説明する図である。（実施例１）
【図２】本発明の包装装置の取手部の構成を説明する断面図である（実施例１）
【図３】本発明の包装装置の取手部の構成を説明する断面図である（実施例１）
【図４】本発明の包装装置の取手部の構成を説明する断面図である（実施例１）
【符号の説明】
【００３７】
１            包装装置
２            外装紙器
３、４、５    取手部
６            緩衝部材
【図１】
2006008216.tif 000003
【図２】
2006008216.tif 000004
【図３】
2006008216.tif 000005
【図４】
2006008216.tif 000006